(57)【要約】【課題】簡単な構成で、カッタユニットをプリンタの本体部側に容易に着脱自在な構造を有するプリンタ及びカッタユニットを提供する。【解決手段】用紙を繰り出して枚葉状に切断して媒体を発行するプリンタであって、カッタユニット４と、カッタユニット４を着脱自在に保持するカッタユニット保持部８と、を有する。カッタユニット４は、周縁部に形成された第１の係合部（凸部４ａ）および第２の係合部（凸部４ｃ，４ｄ）を有する。カッタユニット保持部８は、カッタユニット４の凸部４ａと係脱自在に係合され、且つ、該カッタユニット保持部８において用紙を排出する排出口８ｈの周縁部に設けられた第１の被係合部（凹部８１ａ）と、カッタユニット４の第２の係合部（凸部４ｃ，４ｄ）と係合しカッタユニット４を支持し、且つ、排出口８ｈの周辺部に形成した第２の被係合部（凹部８ｃ，８ｄ）を有する。【選択図】図８
2015231720.tif 000002
【特許請求の範囲】
【請求項１】
用紙を繰り出して枚葉状に切断して媒体を発行するプリンタであって、
前記用紙を所定の長さに断裁するカッタユニットと、
プリンタの本体側に設けられ、前記カッタユニットを着脱自在に保持するカッタユニット保持部と、を有し、
前記カッタユニットは、前記本体側のカッタユニット保持部と係合する係合部を有し、
前記カッタユニット保持部は、前記係合部と係脱自在に係合される被係合部を有し、
前記係合部と前記被係合部とが係合されると、前記被係合部は、付勢手段により前記係合されたカッタユニットを着脱自在に保持することを特徴とするプリンタ。
【請求項２】
前記カッタユニット保持部は、前記カッタユニットと対向する面に電気接触部材を有し、
前記カッタユニットは、前記電気接触部材と対応する位置に、該電気接触部材と電気的に接続される通電部材を有することを特徴とする請求項１に記載のプリンタ。
【請求項３】
前記カッタユニットの係合部は、少なくとも第１の係合部と第２の係合部とを有し、
前記カッタユニット保持部の被係合部は、前記カッタユニットの前記第１の係合部と係脱自在に係合され、且つ、該カッタユニット保持部において用紙を排出する排出口の近傍に設けられた第１の被係合部と、
前記カッタユニットの前記第２の係合部と係合し前記カッタユニットを支持し、且つ、前記排出口の周辺部に形成した第２の被係合部とを有することを特徴とする請求項１に記載のプリンタ。
【請求項４】
前記カッタユニット保持部は、前記カッタユニットの両側面の位置を規制するガイド部材を有することを特徴とする請求項１から請求項３の何れかに記載のプリンタ。
【請求項５】
前記カッタユニットは、可動刃と、該可動刃を駆動するモータと、を有し、
前記通電部材は、前記カッタユニットの前記モータに電気的に接続された第１の通電部材、
前記カッタユニット内の可動刃の位置を検出するセンサに電気的に接続された第２の通電部材、
および、カッタユニット保持部に前記カッタユニットを取り付けているか否かを検出するための第３の通電部材のうち、少なくとも一つを有することを特徴とする請求項２に記載のプリンタ。
【請求項６】
請求項１から請求項５のいずれかに記載のプリンタで用いられるカッタユニット。
【発明の詳細な説明】
【技術分野】
【０００１】
本発明は、プリンタ、および、カッタユニットに関する。
【背景技術】
【０００２】
ラベルを発行するプリンタが知られている（例えば、特許文献１参照）。特許文献１に記載のプリンタでは、カッタユニットの裏面側から直接延びるケーブルがプリンタ本体部側に電気的に接続された構造となっている。
【先行技術文献】
【特許文献】
【０００３】
【特許文献１】特開平１０−１００４９３号公報
【発明の概要】
【発明が解決しようとする課題】
【０００４】
しかしながら、特許文献１に記載のプリンタでは、カッタユニット交換時、カッタユニットから延びるケーブルをプリンタ本体部側から取り外す作業を行うことが困難である。不慣れなユーザがケーブルを取り外す作業を行う場合、ケーブルを破損させてしまう虞があった。
【０００５】
本発明は、上述した問題に鑑みてなされたものであって、簡単な構成で、カッタユニットをプリンタの本体部側に容易に着脱自在な構造を有するプリンタを提供すること、プリンタで用いられるカッタユニットを提供すること、などを目的とする。
【課題を解決するための手段】
【０００６】
このような目的を達成するために、本発明によるプリンタは、以下の構成を少なくとも具備するものである。
用紙を繰り出して枚葉状に切断して媒体を発行するプリンタであって、
前記用紙を所定の長さに断裁するカッタユニットと、
プリンタの本体側に設けられ、前記カッタユニットを着脱自在に保持するカッタユニット保持部と、を有し、
前記カッタユニットは、前記本体側のカッタユニット保持部と係合する係合部を有し、
前記カッタユニット保持部は、前記係合部と係脱自在に係合される被係合部を有し、
前記係合部と前記被係合部とが係合されると、前記被係合部は、付勢手段により前記係合されたカッタユニットを着脱自在に保持することを特徴とする。
【０００７】
また、本発明のカッタユニットは、上記本発明のプリンタに用いられるカッタユニットであることを特徴とする。
【発明の効果】
【０００８】
本発明によれば、簡単な構成で、カッタユニットをプリンタの本体部側に容易に着脱自在な構造を有するプリンタを提供することができる。
また、本発明によれば、上記プリンタで用いられるカッタユニットを提供することができる。
【図面の簡単な説明】
【０００９】
【図１】本発明の実施形態に係るプリンタの一例を示す斜視図。
【図２】本発明の実施形態に係るプリンタの動作の一例を示す図、（ａ）はプリンタの本体部のケース内にカッタユニットなどを収容した状態の一例を示す図、（ｂ）は本体部のケースから可動部を引き出した状態の一例を示す図。
【図３】カッタユニットとカッタユニット保持部の係合状態の一例を示す斜視図。
【図４】カッタユニットの一例を示す図、（ａ）は正面図、（ｂ）は上面図、（ｃ）は（ａ），（ｂ）に示したＡ−Ａ線に沿った部分破断面を含む側面図。
【図５】カッタユニットのカッタユニット保持部に対向する面側から視認した図。
【図６】カッタユニット保持部の一例を示す斜視図。
【図７】カッタユニットの通電部材とカッタユニット保持部の電気接触部材の接触状態の一例を示す図、（ａ）はカッタユニットの通電部材とカッタユニット保持部の電気接触部材が僅かに接触した状態の一例を示す図、（ｂ）は（ａ）に示した状態よりもカッタユニットとカッタユニット保持部が近づいた状態の一例を示す図。
【図８】カッタユニットの着脱動作の一例を説明するための図、（ａ）はカッタユニットとカッタユニット保持部の係合状態の一例を示す図、（ｂ）はカッタユニット保持部に対してカッタユニットを上方に移動した状態の一例を示す図、（ｃ）はカッタユニット保持部に対してカッタユニットを離間する動作の一例を示す図。
【図９】カッタユニットをカッタユニット保持部に装着する動作の一例を説明するための図、（ａ）はカッタユニットによりカッタユニット保持部のＬ字形状の被係合部材を上方に押し上げた状態の一例を示す図、（ｂ）はカッタユニット保持部にカッタユニットの一部分を係合させた状態の一例を示す図、（ｃ）はカッタユニット保持部とカッタユニットの係合状態の一例を示す図。
【発明を実施するための形態】
【００１０】
本発明の実施形態に係るプリンタとしてのラベルプリンタを、図面を参照しながら説明する。本発明の実施形態は図示の内容を含むが、これのみに限定されるものではない。なお、以後の各図の説明で、既に説明した部位と共通する部分は同一符号を付して重複説明を一部省略する。
【００１１】
図１は本発明の実施形態に係るプリンタ１の一例を示す斜視図である。
プリンタ１は、ロール状に巻回された用紙を繰り出して枚葉状に切断して媒体（ラベル）を発行する。詳細には、プリンタ１は、本体部１ａに印字機構部３やカッタユニット４などを有する。
印字機構部３はラベルを発行する。本体部１ａの上部に表示入力部５が設けられている。表示入力部５は、液晶表示器などの表示部９ｂと、タッチパネル９ａと、キーボードなどの操作部７（キー操作部）とを有する。
【００１２】
プリンタ１は、詳細には、本体部１ａ内に制御装置を有する。制御装置は、ＣＰＵ、ＲＡＭ、ＲＯＭなどを有し、印字機構部３、表示入力部５、カッタユニット４の可動刃や可動刃を駆動するモータなどを統括的に制御する。
【００１３】
プリンタ１の本体部１ａは、例えば、ラベルロール、印字機構部３、カッタユニット４などを収容可能である。
【００１４】
図２はプリンタ１の動作の一例を示す図である。詳細には、図２（ａ）はプリンタ１の本体部１ａのケース１ｂ内にカッタユニット４などを収容した状態の一例を示す図、図２（ｂ）は本体部１ａのケース１ｂから可動部１ｃを引き出した状態の一例を示す図である。
【００１５】
プリンタ１の本体部１ａは、ケース１ｂ、および、可動部１ｃを有する。本実施形態では、ケース１ｂの底部および可動部１ｃの下部に、スライド部材１ｓが設けられている。ケース１ｂ内に収容された可動部１ｃを、スライド部材１ｓによりケース１ｂに対して引出し可能及び収容可能な構造となっている。
【００１６】
可動部１ｃには、用紙６をロール状に巻回されたラベルロールが収容されるロール装填部を有する。ロール装填部は、ラベルロールを回転自在に保持している。本実施形態では、用紙６の表面側に印字面が形成され、用紙６の裏面側に粘着剤が塗着されている。
【００１７】
可動部１ｃには、用紙６の繰り出し方向の前方位置に、印字機構部３が設けられている。ラベルロールと印字機構部３の間にはラベル支持部２が設けられている。印字機構部３は、ラベル用紙の送出手段としての上下一対のローラ３ａ，３ｂと、プラテンローラ３ｃと、サーマルヘッドなどの印字ヘッド３ｄと、を有する。
プラテンローラ３ｃおよび印字ヘッド３ｄは、ローラ３ａ，３ｂの下流側に配置されている。
【００１８】
印字ヘッド３ｄはラベル用紙をプラテンローラ３ｃ側に押圧するように構成され、ローラ３ｂはローラ３ａ側に押圧するように構成されている。ローラ３ａ，３ｂ、プラテンローラ３ｃは、モータにより回転駆動するように構成され、用紙６を安定して送出し得るように構成されている。ローラ３ａ，プラテンローラ３ｃの表面には、用紙６に塗着されている粘着剤を付着させないように、剥離剤をコーティングするなどの表面処理を施している。尚、ローラ３ａ，３ｂ、プラテンローラ３ｃ自体またはローラの最外周部分を易剥離性の部材で構成してもよい。
本実施形態では、図２に示したように、本体部１ａのケース１ｂから可動部１ｃを引き出した状態で、ローラ３ｂ、印字ヘッド３ｄが本体部１ａ側に位置するように構成されている。
【００１９】
カッタユニット４は、プラテンローラ３ｃおよび印字ヘッド３ｄの下流側に配置されている。カッタユニット４は、カッタユニット保持部８に容易に着脱自在に保持される構造となっている。カッタユニット保持部８は、プリンタ１の本体部側、本実施形態では、本体部１ａに収容自在な可動部１ｃに固定されている。
【００２０】
カッタユニット４は、可動刃４１、固定刃４２を備える。カッタユニット４は、可動刃４１、固定刃４２により用紙６を所定の長さに断裁するように構成されている。
【００２１】
図３はカッタユニット４とカッタユニット保持部８の係合状態の一例を示す斜視図である。図４はカッタユニット４の一例を示す図である。詳細には図４（ａ）はカッタユニット４の正面図、図４（ｂ）は上面図、図４（ｃ）は図４（ａ），図４（ｂ）に示したＡ−Ａ線に沿った部分破断面を含む側面図である。
図５はカッタユニット４のカッタユニット保持部に対向する面側から視認した図（背面図）である。
【００２２】
＜カッタユニット＞
カッタユニット４は、略直方体形状に形成されており、内部に可動刃４１を収容している。カッタユニット４の直方体部内には、可動刃４１、可動刃４１を駆動するためのモータなどの駆動機構（不図示）、可動刃４１の位置を検出する検出部（不図示）などが設けられている。
【００２３】
また、カッタユニット４は、直方体部の下部から下方に延出した形状の固定刃保持部４ｇを有する。固定刃保持部４ｇには、矩形状の固定刃４２が設けられている。
本実施形態では、可動刃４１の下端の刃先には、斜め刃が形成されている。尚、可動刃４１の刃先の形状は、この形態に限られるものではなく、Ｖ字形状、逆Ｖ字形状であってもよい。
カッタユニット４の直方体部と固定刃４２との間には、用紙を排出する排出口４ｈが設けられている。
【００２４】
カッタユニット４は、カッタユニット４の周縁部に形成された複数の係合部を有する。この係合部は、カッタユニット保持部の被係合部に係脱自在に構成されている。
【００２５】
本実施形態では、カッタユニット４は、直方体部の上面に設けられた凸部４ａ（第１の係合部）、カッタユニット保持部側に対向する面４ｋに設けられた取付けフックなどの凸部４ｃ，凸部４ｄ（第２の係合部）を有する。
【００２６】
詳細には、カッタユニット４の直本体部の上面に凸部４ａが設けられており（図４（ｃ）参照）、凸部４ａの周囲に凹部４ｂが形成されている（図４（ｂ）参照）。凸部４ａは、詳細には、カッタユニット保持部側に傾斜した傾斜面を有し（図３参照）、且つ、断面三角形状に形成されている（図４（ｃ）参照）。
【００２７】
カッタユニット４は、カッタユニット保持部側に対向する面４ｋの下端部４ｎの近傍の左右に、第２の係合部としての凸部４ｃ，凸部４ｄが設けられている。本実施形態では、凸部４ｃ，４ｄは、カッタユニット保持部側に突出するとともに下方へ向けて屈曲延出した形状に形成されている。
【００２８】
また、カッタユニット４は、図５に示すように、カッタユニット保持部側に対向する面４ｋに、通電部材４５を有する。通電部材４５は、金属板により形成されており、カッタユニット保持部に設けられた電気接触部材に対応する位置に、電気接触部材に電気的に接続可能に設けられている。
【００２９】
通電部材４５は、一つまたは複数の金属板で構成され、本実施形態では、通電部材４５ａ、通電部材４５ｃ，４５ｄ、通電部材４５ｅ，４５ｆを有する。通電部材４５は、例えば、縦長の矩形状に形成されている。通電部材４５ｃ，４５ｄは、通電部材４５ａの左右に僅かに離れた位置に配置されており、縦長の矩形状に形成されている。通電部材４５ｅ，４５ｆは、通電部材４５ｃ，４５ｄの左右に僅かに離れた位置に配置されており、縦長の矩形状に形成されている。
【００３０】
通電部材４５ｅ，４５ｆ（第１の通電部材）は、カッタユニット４内に収容されたモータに電気的に接続されている。
通電部材４５ｃ，４５ｄ（第２の通電部材）は、例えば、カッタユニット４内の可動刃４１の位置を検出するセンサなどに電気的に接続されている。
通電部材４５ａ（第３の通電部材）は、カッタユニット保持部にカッタユニット４を取り付けているか否かを検出するための通電部材である。
【００３１】
通電部材４５の近傍には取付け溝部４６が形成されている。詳細には、本実施形態では、通電部材４５の左右に縦長の略矩形状の取付け溝部４６ａ、４６ｂが形成されている。
この取付け溝部４６（４６ａ，４６ｂ）は、カッタユニット保持部８に設けられた凸部８６（８６ａ，８６ｂ）に嵌合するように構成されている。
【００３２】
＜カッタユニット保持部＞
図６はカッタユニット保持部８の一例を示す斜視図である。図７はカッタユニット４の通電部材４５とカッタユニット保持部８の電気接触部材８５の接触状態の一例を示す図である。図８はカッタユニット４の着脱動作の一例を説明するための図である。図９はカッタユニット４をカッタユニット保持部８に装着する動作の一例を説明するための図である。
【００３３】
カッタユニット保持部８は、プリンタの本体部１ａ側に設けられており、カッタユニット４を着脱自在に保持する。カッタユニット保持部８は、カッタユニット４の係合部に係合する被係合部を有する。詳細には、カッタユニット保持部８は、カッタユニット４に対向する面８ｋなどに被係合部を有する。
【００３４】
本実施形態では、カッタユニット保持部８の略中央部に、用紙を排出する排出口８ｈが形成されている。
カッタユニット保持部８は、カッタユニット４の第１の係合部（凸部４ａ）と係脱自在に係合する第１の被係合部を有する。第１の被係合部は、詳細には、カッタユニット保持部８のカッタユニット４に対向する面８ｋの上部中央付近から、カッタユニット側に突出した断面Ｌ字形状の被係合部材８１を有する。
【００３５】
被係合部材８１は、凹部８１ａ（本実施形態では孔部）を有する。第１の被係合部としての凹部８１ａは、カッタユニット４の第１の係合部（凸部４ａ）と係脱自在に係合するように構成されている。また、被係合部材８１は、カッタユニット４の凸部４ａの周囲に形成された凹部４ｂに嵌合可能な形状に形成されており、カッタユニット４の装着時に、凹部４ｂに嵌合する。
被係合部材８１は、上下方向に移動自在に構成されており、且つ、図８に示すように、バネ部材などの付勢部材８８（付勢手段）により下方へ付勢されている。
【００３６】
カッタユニット保持部８のカッタユニット４に対向する面８ｋには、カッタユニット４の第２の係合部（凸部４ｃ，４ｄ）と係合する第２の被係合部（凹部８ｃ，８ｄ）が形成されている。
本実施形態では、第２の被係合部としての凹部８ｃ，８ｄ（本実施形態では孔部）は、カッタユニット保持部８のカッタユニット４に対向する面８ｋの下部の左右両端付近に形成されている。
【００３７】
また、カッタユニット保持部８のカッタユニット４に対向する面８ｋの下端部に、凸部８ｍ，８ｎが所定間隔離れて形成されている。この凸部８ｍ，８ｎは、カッタユニット４の下端部４ｎに当接して、カッタユニット４を所定位置で保持するように構成されている。
【００３８】
また、カッタユニット保持部８は、カッタユニット４装着時に、カッタユニット４の両側面の位置を規制するガイド部材８ｅ，８ｆを有する。詳細には、ガイド部材８ｅ，８ｆは、カッタユニット保持部８のカッタユニット４に対向する面８ｋの左右両端から、カッタユニット側へ突出した形状に形成されている。
【００３９】
また、カッタユニット保持部８のカッタユニット４に対向する面８ｋに、電気接触部材８５を有する。本実施形態では、カッタユニット装着時、カッタユニット４の通電部材４５と対応する位置に、カッタユニット保持部８の電気接触部材８５が形成されている。電気接触部材８５と通電部材４５とは電気的に接続可能に構成されている。
【００４０】
電気接触部材８５は、複数の端子８５１が並んで配置されており、詳細には、電気接触部材８５ａ，８５ｂ，８５ｃ，８５ｄ，８５e，８５ｆを有する。
【００４１】
電気接触部材８５ａ，８５ｂは、カッタユニット４の通電部材４５ａに電気的に接続可能に構成されている。電気接触部材８５ａ，８５ｂは、例えば、プリンタの本体部に設けられた、検出部に接続されている。この検出部は、電気接触部材８５ａと電気接触部材８５ｂとの電気的な導通を検出することにより、カッタユニット保持部８にカッタユニット４が取り付けられているか否かを判別する。詳細には、電気接触部材８５ａと電気接触部材８５ｂがカッタユニット４の通電部材４５ａを介して電気的に接続されていることを検出した場合、上記検出部は、カッタユニット４をカッタユニット保持部８に取り付けられていると判別する。電気接触部材８５ａと電気接触部材８５ｂが非導通状態の場合、上記検出部は、カッタユニット４をカッタユニット保持部８に取り付けられていないと判別する。
【００４２】
電気接触部材８５ｃ，８５ｄは、カッタユニット４の通電部材４５ｃ，４５ｄに電気的に接続可能に構成されている。電気接触部材８５ｃ，８５ｄは、プリンタの本体部の制御装置などに電気的に接続されている。制御回路は、電気接触部材８５ｃ，８５ｄ、および、通電部材４５ｃ，４５ｄを介して入力されるカッタユニット４の可動刃４１の位置を示す信号に基づいて、可動刃４１の位置を把握することができる。
【００４３】
電気接触部材８５ｅ，８５ｆは、カッタユニット４の通電部材４５ｅ，４５ｆに電気的に接続可能に構成されている。電気接触部材８５ｅ，８５ｆは、プリンタの本体部の電源回路などに電気的に接続されている。電気接触部材８５ｅ，８５ｆ、および、通電部材４５ｅ，４５ｆを介して、プリンタの本体部の電源回路からカッタユニット内のモータへ電源電圧が供給される。
【００４４】
また、カッタユニット保持部８の電気接触部材８５の近傍、詳細には、電気接触部材８５の左右僅かに離れた位置に凸部８６（８６ａ，８６ｂ）が設けられている。この被係合部としての凸部８６（８６ａ，８６ｂ）は、カッタユニット４の取付け溝部４６（４６ａ，４６ｂ）にそれぞれ嵌合するように、形成されている。
【００４５】
図７（ａ）はカッタユニット４の通電部材４５とカッタユニット保持部８の電気接触部材８５が僅かに接触した状態の一例を示す図であり、図７（ｂ）は図７（ａ）に示した状態よりもカッタユニット４とカッタユニット保持部８が近づいた状態の一例を示す図である。
【００４６】
電気接触部材８５の端子８５１は、バネ性を有する。詳細には、端子８５１は、端部８５１ａが電気接触部材８５の面に可動自在に固定され、端部８５１ａからカッタユニット４側に向かって延出し、屈曲部８５１ｂでカッタユニット保持部８側に屈曲して延出し、当接部８５１ｃで電気接触部材８５の面に当接するとともに端部８５１ａ側に屈曲して延出した形状に形成されている。
【００４７】
次に、カッタユニット４をカッタユニット保持部８に装着する場合を説明する。
カッタユニット４とカッタユニット保持部８が充分に離間状態から、カッタユニット４をカッタユニット保持部８に近づけた場合、カッタユニット保持部８の端子８５１の屈曲部８５１ｂが、カッタユニット４の通電部材４５の当接部４５ｐで当接する（図７（ａ）参照）。
【００４８】
カッタユニット４をカッタユニット保持部８にさらに近づけて、カッタユニット４をカッタユニット保持部８に装着した場合、図７（ｂ）に示したように、バネ性を有する端子８５１の屈曲部８５１ｂが撓み、当接部４５ｐの位置が下方にずれる。
【００４９】
逆に、カッタユニット４をカッタユニット保持部８から取り外す場合、図７（ｂ）、図７（ａ）に示したように、上述したステップを逆に行うことで、当接部４５ｐの位置が上方にずれた後、カッタユニット保持部８の端子８５１とカッタユニット４の通電部材４５が離間する。そして、バネ性を有する端子８５１は初期の形状となる（図７（ａ）参照）。
【００５０】
上述したように、カッタユニット保持部８へのカッタユニット４の着脱の際に、カッタユニット保持部８の端子８５１とカッタユニット４の通電部材４５が接触しつつ、当接部４５ｐの位置がずれるのでカッタユニット４の通電部材４５と端子８５１との電気的な接続状態を良好に保つことができる。つまり、通電部材４５と端子８５１との間の電気的な接続不良を防止することができる（クリーニング効果）。
【００５１】
次に、カッタユニットの取り外し動作の一例を説明する。
図８（ａ）はカッタユニット４とカッタユニット保持部８の係合状態の一例を示す図である。図８（ｂ）はカッタユニット保持部８に対してカッタユニット４を上方に移動した状態の一例を示す図である。図８（ｃ）はカッタユニット保持部８に対してカッタユニット４を離間する動作の一例を示す図である。
【００５２】
図８（ａ）に示したように、カッタユニット４がカッタユニット保持部８に装着されている場合、カッタユニット４の凸部４ａ（第１の係合部）とＬ字形状の被係合部材８１の凹部８１ａとが係合している。
また、カッタユニット４の凸部４ｃ，４ｄ（第２の係合部）とカッタユニット保持部８の第２の被係合部である凹部８ｃ，８ｄが係合している。
また、カッタユニット保持部８の凸部８ｍ，８ｎが、カッタユニット４の下端部４ｎに当接して、カッタユニット４を所定位置で保持している。
【００５３】
次に、図８（ｂ）に示したように、操作者（ユーザ）などが、カッタユニット保持部８に対してカッタユニット４を上方に移動させる。カッタユニット４の上方への移動に伴い、Ｌ字形状の被係合部材８１が上方に移動する。この場合、カッタユニット保持部８のガイド部材８ｅなどにより、カッタユニット４の左右へのずれを規制した状態で、カッタユニット４が上方へ移動する。
カッタユニット４の下端部４ｎは、カッタユニット保持部８の凸部８ｍ，８ｎから離間した状態となる。
【００５４】
次に、図８（ｃ）に示したように、カッタユニット４の凸部４ａとカッタユニット保持部８の被係合部材８１の凹部８１ａ（本実施形態では孔部）の係合状態で、操作者（ユーザ）などがカッタユニット４の下部をカッタユニット保持部８から離間させる方向に移動させることにより、カッタユニット４を傾斜させるとともに、カッタユニット保持部８の第２の被係合部である凹部８ｃ，８ｄ（本実施形態では孔部）から、カッタユニット４の第２の係合部（凸部４ｃ，４ｄ）を離間させる。
【００５５】
次に、操作者（ユーザ）などは、カッタユニット４を下方向または斜め下方向などに移動させることにより、カッタユニット４の凸部４ａとカッタユニット保持部８の被係合部材８１の凹部８１ａ（本実施形態では孔部）を非係合状態とすることで、カッタユニット４がカッタユニット保持部８から取り外される。
Ｌ字形状の被係合部材８１は、付勢部材８８の下方への付勢力により、初期状態の位置に移動して停止する。初期状態の位置とは、被係合部材８１の上面と、カッタユニット保持部８の上面とが略同一平面内となる位置である。
【００５６】
＜カッタユニットの装着動作＞
次に、カッタユニットの装着動作の一例を説明する。
操作者（ユーザ）などは、上述したステップを逆に行うことで、カッタユニット４をカッタユニット保持部８に装着させることができる。
詳細には、図８（ｃ）に示したように、操作者（ユーザ）などは、カッタユニット４を傾斜させた状態で、カッタユニット４の上部をＬ字形状の被係合部材８１に当接させ、被係合部材８１を上方へ移動させる。
そして、ユーザは、カッタユニット４の凸部４ａとカッタユニット保持部８の被係合部材８１の凹部８１ａ（本実施形態では孔部）を係合状態とする。
この場合、カッタユニット保持部８のガイド部材８ｅなどにより、カッタユニット４の左右へのずれが規制される。
【００５７】
次に、操作者（ユーザ）などが、図８（ｂ）に示したように、カッタユニット４の下部をカッタユニット保持部８側に移動させることにより、カッタユニット４を垂直姿勢とし、カッタユニット保持部８の第２の被係合部である凹部８ｃ，８ｄ（本実施形態では孔部）に、カッタユニット４の第２の係合部（凸部４ｃ，４ｄ）を挿入する。
【００５８】
次に、操作者（ユーザ）などが、カッタユニット４を下方に移動させて、図８（ａ）に示したように、カッタユニット保持部８の所定位置に位置させる。
この場合、カッタユニット４の凸部４ａ（第１の係合部）とＬ字形状の被係合部材８１の凹部８１ａ（第１の被係合部）とが係合している。
カッタユニット４の凸部４ｃ，４ｄ（第２の係合部）とカッタユニット保持部８の第２の被係合部である凹部８ｃ，８ｄが係合している。
カッタユニット保持部８の凸部８ｍ，８ｎが、カッタユニット４の下端部４ｎに当接して、カッタユニット４を所定位置で保持している。
上述したステップにより、カッタユニット４がカッタユニット保持部８に装着される。
【００５９】
次に、カッタユニットの装着動作の他の例を説明する。
図９（ａ）はカッタユニットによりカッタユニット保持部のＬ字形状の被係合部材を上方に押し上げた状態の一例を示す図である。図９（ｂ）はカッタユニット保持部にカッタユニットの一部分を係合させた状態の一例を示す図である。図９（ｃ）はカッタユニット保持部とカッタユニットの係合状態の一例を示す図である。
【００６０】
図９（ａ）に示したように、操作者（ユーザ）などは、カッタユニット４の上部をＬ字形状の被係合部材８１に当接させ、被係合部材８１を上方へ移動させ、カッタユニット４を垂直姿勢とする。
この場合、カッタユニット４の凸部４ａ（第１の係合部）とＬ字形状の被係合部材８１の凹部８１ａ（第１の被係合部）とが非係合状態となっている。
カッタユニット保持部８のガイド部材８ｅなどにより、カッタユニット４の左右へのずれが規制される。
【００６１】
次に、操作者（ユーザ）などが、図９（ｂ）に示したように、カッタユニット４の下部をカッタユニット保持部８側に移動させることにより、カッタユニット４を傾斜させた状態で、カッタユニット保持部８の第２の被係合部である凹部８ｃ，８ｄ（本実施形態では孔部）に、カッタユニット４の第２の係合部（凸部４ｃ，４ｄ）を挿入する。
【００６２】
そして、操作者（ユーザ）などは、カッタユニット４を傾斜させた状態で、カッタユニット４を僅かに下方に移動させる。カッタユニット保持部８の凸部８ｍ，８ｎが、カッタユニット４の下端部４ｎに当接するとともに、カッタユニット４の凸部４ｃ，４ｄ（第２の係合部）とカッタユニット保持部８の第２の被係合部である凹部８ｃ，８ｄが係合する。
【００６３】
次に、操作者（ユーザ）などが、図９（ｃ）に示したように、カッタユニット４の上部をカッタユニット４の上部をカッタユニット保持部８側に移動させて、カッタユニット４を垂直姿勢とする。カッタユニット４の凸部４ａ（第１の係合部）とＬ字形状の被係合部材８１の凹部８１ａ（第１の被係合部）とが係合する。
上述したステップにより、カッタユニット４がカッタユニット保持部８に装着される。
【００６４】
以上、説明したように、本発明の実施形態に係るプリンタ１は、ロール状に巻回された用紙を繰り出して、可動刃４１および固定刃４２により枚葉状に切断して媒体（ラベルなど）を発行するプリンタである。
プリンタ１は、可動刃４１および固定刃４２により用紙を所定の長さに断裁するカッタユニット４と、カッタユニット４を着脱自在に保持する、プリンタの本体部側に設けられたカッタユニット保持部８と、を有する。
カッタユニット４とカッタユニット保持部８のそれぞれには、一つまたは複数の係合部が設けられている。カッタユニット４の係合部とカッタユニット保持部８の係合部は、容易に係脱自在な構造となっている。
本実施形態では、カッタユニット４は、そのカッタユニット４の周縁部、詳細には、カッタユニット４の上部に形成された凸部４ａ（第１の係合部）、および、カッタユニット４の略中央部の左右両端付近に形成された凸部４ｃ，４ｄ（第２の係合部）を有する。
カッタユニット保持部８は、カッタユニット４の凸部４ａと係脱自在に係合され、且つ、該カッタユニット保持部８において用紙を排出する排出口８ｈの周縁部（周辺部）などの近傍、詳細にはカッタユニット保持部８の上部に設けられた凹部８１ａ（第１の被係合部）と、カッタユニット４の凸部４ｃ，４ｄ（第２の係合部）と係合しカッタユニット４を支持するとともに排出口８ｈの周辺部に形成した凹部８ｃ，８ｄ（第２の被係合部）を有する。
このように、カッタユニット４の凸部４ａ（第１の係合部）、凸部４ｃ，４ｄ（第２の係合部）がそれぞれカッタユニット保持部８の凹部８１ａ（第１の被係合部）、凹部８ｃ，８ｄ（第２の被係合部）に係脱自在に構成されているので、カッタユニット４をプリンタの本体部に設けられたカッタユニット保持部８に対して容易に着脱することができるプリンタを提供することができる。
【００６５】
また、サービスマンによるカッタユニットの交換作業の終了を待つ必要がなく、ユーザ自身によりカッタユニットを簡単に短時間に交換することができ、迅速にプリンタの使用再開を行うことができる。
【００６６】
また、本発明の実施形態に係るプリンタにおいて、カッタユニット保持部８は、カッタユニット４の両側面の位置を規制するガイド部材８ｅ、８ｆを有するので、カッタユニット４をガイド部材８ｅ，８ｆによりカッタユニット保持部８の所定位置に対して左右のずれを規制した状態でスムーズに容易に着脱することができる。
【００６７】
また、本発明の実施形態に係るプリンタにおいて、カッタユニット保持部８は、カッタユニット４と対向する面４ｋに電気接触部材８５を有する。カッタユニット４は、電気接触部材８５と対応する位置に、その電気接触部材と電気的に接続される通電部材４５を有する。
【００６８】
詳細には、カッタユニット４は、可動刃４１と、可動刃４１を駆動するモータと、を有する。また、カッタユニット４は、カッタユニット４のモータに電気的に接続された通電部材４５ｅ，４５ｆ（第１の通電部材）、カッタユニット４内の可動刃４１の位置を検出するセンサに電気的に接続された通電部材４５ｃ，４５ｄ（第２の通電部材）、カッタユニット保持部８にカッタユニット４を取り付けているか否かを検出するための通電部材４５ａ（第３の通電部材）のうち、少なくとも一つを有する。
【００６９】
このように、本発明に係るプリンタは、プリンタの本体側のカッタユニット保持部８に設けた電気接触部材８５とカッタユニット側の通電部材４５とを接触させて、給電や検出信号などを伝える構成であるので、操作者（ユーザ）などによりカッタユニット４を容易に交換することができる。
例えば、カッタユニット交換時に、カッタユニットとプリンタの本体部との間を電気的に繋ぐケーブルを着脱することを要する比較例のプリンタと比べて、本発明に係るカッタユニットを備えるプリンタでは、ケーブルを着脱するという煩雑な作業を行う必要がない。
【００７０】
また、上述したように、本発明の実施形態に係るプリンタで用いられ、プリンタの本体部側に容易に着脱自在で、簡単な構造のカッタユニットを提供することができる。
【００７１】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００７２】
例えば、上述した実施形態では、カッタユニットの第１の係合部、第２の係合部が凸部であり、カッタユニット保持部の第１の被係合部、第２の被係合部が孔部または凹部であったが、この形態に限られるものではない。
例えば、カッタユニットの第１の係合部、第２の係合部が凹部や孔部であり、カッタユニット保持部の第１の被係合部、第２の被係合部が凸部などであってもよい。
【００７３】
また、上述した実施形態では、表示部および操作部を備えたラベルプリンタを例に説明したが、この形態に限られるものではない。例えば、本発明に係るプリンタをＰＯＳレジスタ、包装装置、情報機器などに適用してもよい。
【符号の説明】
【００７４】
１  プリンタ
１ａ  本体部
３  印字機構部
４  カッタユニット
４ａ  凸部（第１の係合部（係合部））
４ｃ，４ｄ  凸部（第２の係合部（係合部））
４ｈ  排出口
５  表示入力部
６  用紙
８  カッタユニット保持部
８ｃ，８ｄ  凹部（第２の被係合部（被係合部））
８ｅ，８ｆ  ガイド部材
８ｈ  排出口
４１  可動刃
４２  固定刃
４５  通電部材
４５ａ  通電部材（第３の通電部材）
４５ｃ，４５ｄ  通電部材（第２の通電部材）
４５ｅ，４５ｆ  通電部材（第１の通電部材）
８１ａ  凹部（第１の被係合部（被係合部））
８８  付勢部材（付勢手段）
【図１】
2015231720.tif 000003
【図２】
2015231720.tif 000004
【図３】
2015231720.tif 000005
【図４】
2015231720.tif 000006
【図５】
2015231720.tif 000007
【図６】
2015231720.tif 000008
【図７】
2015231720.tif 000009
【図８】
2015231720.tif 000010
【図９】
2015231720.tif 000011